(57)【特許請求の範囲】
【請求項１】
圧縮機、冷暖房切換弁、室外熱交換器、絞り機構及び複数の室内熱交換器を冷媒配管で接続して冷凍サイクルを構成し、前記複数の室内熱交換器で並列な冷媒回路を形成すると共に、前記圧縮機、前記冷暖房切換弁、前記室外熱交換器及び前記絞り機構を有する室外機に対して前記室内熱交換器を有する複数の室内機を冷媒配管及び接続ケーブルを介して接続し、室内温度を検出する手段及び前記並列な冷媒回路の温度を検出する手段を備え、前記冷媒配管または接続ケーブルの誤接続判定運転が可能な多室形の空気調和機であって、
前記誤接続判定運転は、前記室内温度を検出する手段で検出した室内温度に基づいて暖房判定運転と冷房判定運転とに切換え、この暖房判定運転または冷房判定運転を各室内機毎に行なって、前記並列な冷媒回路の温度を検出する手段で検出した温度に基づいて前記冷媒配管または接続ケーブルの誤接続判定を行なう
ことを特徴とする空気調和機。
【請求項２】
圧縮機、冷暖房切換弁、室外熱交換器、絞り機構及び複数の室内熱交換器を冷媒配管で接続して冷凍サイクルを構成し、冷房時の室内熱交換器上流側に全閉可能な絞り機構または開閉弁を有し且つ暖房時の室内熱交換器の上流側に開閉弁を有する冷媒回路を並列に接続し、前記圧縮機、前記冷暖房切換弁、前記室外熱交換器及び前記絞り機構を有する室外機に対して前記室内熱交換器を有する複数の室内機を冷媒配管及び接続ケーブルを介して接続し、室内温度を検出する手段及び前記室内熱交換器の温度を検出する手段を備え、前記冷媒配管または接続ケーブルの誤接続判定運転が可能な多室形の空気調和機であって、
前記誤接続判定運転は、前記室内温度を検出する手段で検出した室内温度に基づいて暖房判定運転と冷房判定運転とに切換え、前記暖房判定運転時には前記室内熱交換器の上流側になる開閉弁を各室内機毎に開くと共に対応する前記室内熱交換器の温度を検出して室内熱交換器の設定値以上に上昇するかまたは室内温度との温度差が設定値以上であるかを判定し、前記冷房運転時には前記熱交換器の上流側の絞り機構または開閉弁を各室内機毎に開くと共に対応する前記室内熱交換器の温度を検出してこの温度が設定値以上に低下するかまたは室内温度との温度差が設定値以上であるかを判定する
ことを特徴とする空気調和機。
【請求項３】
圧縮機、冷暖房切換弁、室外熱交換器、絞り機構及び複数の室内熱交換器を冷媒配管で接続して冷凍サイクルを構成し、冷房時の室内熱交換器上流側に全閉可能な絞り機構または開閉弁を有する冷媒回路を並列に接続し、前記圧縮機、前記冷暖房切換弁、前記室外熱交換器及び前記絞り機構を有する室外機に対して前記室内熱交換器を有する複数の室内機を冷媒配管及び接続ケーブルを介して接続し、室内温度を検出する手段、暖房時の室内熱交換器下流側の冷媒温度を検出する手段、及び前記室内熱交換器に通風する風量を可変可能な室内ファンを備え、前記冷媒配管または接続ケーブルの誤接続判定運転が可能な多室形の空気調和機であって、
前記誤接続判定運転は、前記室内温度を検出する手段で検出した室内温度に基づいて暖房判定運転と冷房判定運転とに切換え、前記暖房判定運転時には前記室内ファンの風量を各室内機毎に変化させると共に対応する前記室内熱交換器下流側の冷媒温度を検出してこの時の温度変化が設定値以上であるかを判定し、前記冷房運転時には前記熱交換器の上流側の絞り機構または開閉弁を各室内機毎に開くと共に対応する前記室内熱交換器の温度を検出してその温度が設定値以上に低下するかまたは室内温度との温度差が設定値以上であるかを判定する
ことを特徴とする空気調和機。
【請求項４】
請求項１から３の何れかにおいて、室外温度を検出する手段を備えると共に、前記室内温度を検出する手段で検出した室内温度と前記室外温度を検出する手段で検出した室外温度に基づいて暖房判定運転と冷房判定運転とに切換えることを特徴とする空気調和機。
【請求項５】
請求項１から３の何れかにおいて、前記誤接続判定運転の誤接続判定時に対応する室内機の接続を自動的に切換える手段を備えていることを特徴とする空気調和機。
【発明の詳細な説明】
【０００１】
【発明の属する技術分野】
本発明は、多室形の空気調和機に係わり、冷媒配管あるいは接続ケーブルの接続状態を自動判定できる多室形の空気調和機に好適なものである。
【０００２】
【従来の技術】
従来の多室形の空気調和機としては、特開平９−１３３４４２号公報に示されているように、多室形の空気調和機を設置した時、各室内機と室外機間を繋ぐ冷媒配管の誤接続を簡単に見分けできるようにするために、圧縮機からの吐出冷媒を少なくとも室外熱交換器に流通させた後、絞り手段と、第１の開閉弁と、室内熱交換器と、第２の開閉弁とからなる複数の冷媒回路に任意に流通させ、前記圧縮機に戻すように冷房運転し、前記第１および第２の開閉弁を冷媒回路別に開き、開いた開閉弁に対応する室内熱交換器の温度を所定時間経過後に検出し、検出値と予め設定されている設定値との比較結果から冷媒配管の誤接続を判定し、前記冷媒配管の誤接続が検出された時、対応する室内機の表示手段により異常表示を行い、前記異常表示を所定時間継続表示するようにし、前記一連の制御動作を開始させるスタートボタンを室外機に設けてなるものがある。
【０００３】
【発明が解決しようとする課題】
しかしながら、かかる従来の空気調和機では、室内温度や室外温度に係らず冷房運転を行なって室内熱交換器の検出温度と予め設定されている設定温度との比較結果から誤接続を判定するものであり、判定時に室内温度や室外温度に基づいて運転状態を変更することについての配慮がなされていない。このため、例えば空気調和機の据付作業が冬季に行なわれる場合のような室内温度や室外温度が特に低い時には、保護回路が働いて冷房運転が不可能であったり、また強制的に冷房運転を行なっても室内温度が低いために室内熱交換器の温度低下を確実に検出することが困難であったり、場合によっては冷媒が室内熱交換器で蒸発できずに圧縮機に液体で戻ってしまい液圧縮による負荷増大を招くという課題があった。
【０００４】
本発明の目的は、冬季のような室内温度が特に低い時に誤接続判定運転が行なわれても、保護回路が働いて誤接続判定が不可能になることもなく、しかも信頼性の高い判定ができると共に、液圧縮による負荷増大を防止できる空気調和機を提供することにある。
【０００５】
【課題を解決するための手段】
上記目的を達成するための本発明の特徴は、圧縮機、冷暖房切換弁、室外熱交換器、絞り機構及び複数の室内熱交換器を冷媒配管で接続して冷凍サイクルを構成し、前記複数の室内熱交換器で並列な冷媒回路を形成すると共に、前記圧縮機、前記冷暖房切換弁、前記室外熱交換器及び前記絞り機構を有する室外機に対して前記室内熱交換器を有する複数の室内機を冷媒配管及び接続ケーブルを介して接続し、室内温度を検出する手段及び前記並列な冷媒回路の温度を検出する手段を備え、前記冷媒配管または接続ケーブルの誤接続判定運転が可能な多室形の空気調和機であって、前記誤接続判定運転は、前記室内温度を検出する手段で検出した室内温度に基づいて暖房判定運転と冷房判定運転とに切換え、この暖房判定運転または冷房判定運転を各室内機毎に行なって、前記並列な冷媒回路の温度を検出する手段で検出した温度に基づいて前記冷媒配管または接続ケーブルの誤接続判定を行なう構成にしたことにある。
【０００６】
【発明の実施の形態】
以下、本発明の各実施例を図を用いて説明する。
【０００７】
まず、本発明の第１実施例の多室形の空気調和機の全体構成を図１を参照しながら説明する。図１は本発明の第１実施例の多室形の空気調和機の構成図である。
【０００８】
図１において、１は圧縮機、２は冷房と暖房の切換弁、３は室外熱交換器、４Ａ〜４Ｃは開閉弁、５Ａ〜５Ｃは全閉可能な絞り機構、６Ａ〜６Ｃは室内熱交換器、７Ａ〜７Ｃは室内熱交換器温度の検知手段である熱交換器サーミスター、８Ａ〜８Ｃは室内機、９Ａ〜９Ｃは室内温度の検知手段である室温サーミスター、１０Ａ〜１０Ｃは室内機の制御部、１１は室外機の制御部、１２は室外温度の検出手段である外気温サーミスター、１３は室外の故障等を表示する室外表示部、１４は誤接続判定運転のスタートボタン、１５Ａ〜１５Ｃは室内の故障等を表示する室内表示部である。
【０００９】
冷凍サイクルは、圧縮機１、冷暖房切換弁２、室外熱交換器３、複数の絞り機構５Ａ〜５Ｃ、複数の室内熱交換器６Ａ〜６Ｃ及び複数の開閉弁４Ａ〜４Ｃを冷媒配管で接続して構成されている。また、複数の絞り機構５Ａ〜５Ｃ、複数の室内熱交換器６Ａ〜６Ｃ及び複数の開閉弁４Ａ〜４Ｃは、それぞれが直列に接続されると共に、この直列の冷媒回路が室外熱交換器３及び切換弁２に対して並列に接続され、並列な冷媒回路が構成される。
【００１０】
そして、切換弁２を動作させることにより、冷房運転と暖房運転の冷凍サイクルに切換えることが可能である。冷房運転の冷凍サイクルにおける冷媒は、圧縮機１、切換弁２、室外熱交換器３を通って、絞り機構５Ａ、室内熱交換器６Ａ及び開閉弁４Ａの直列な冷媒回路と、絞り機構５Ｂ、室内熱交換器６Ｂ及び開閉弁４Ｂの直列な冷媒回路と、絞り機構５Ｃ、室内熱交換器６Ｃ及び開閉弁４Ｃの直列な冷媒回路とで構成される並列な冷媒回路を流れ、さらに切換弁２から圧縮機１に戻る。また、暖房運転の冷凍サイクルおける冷媒は、圧縮機１、切換弁２を通って、開閉弁４Ａ、室内熱交換器６Ａ及び絞り機構５Ａの直列な冷媒回路と、開閉弁４Ｂ、室内熱交換器６Ｂ及び絞り機構５Ｂの直列な冷媒回路と、開閉弁４Ｃ、室内熱交換器６Ｃ及び絞り機構５Ｃの直列な冷媒回路とで構成される並列な冷媒回路を流れ、さらに室外熱交換器３を経て切換弁２から圧縮機１に戻る。
【００１１】
室外機には、圧縮機１、切換弁２、室外熱交換器３、絞り機構５Ａ〜５Ｃ、開閉弁４Ａ〜４Ｃ、室外制御部１１、外気温サーミスター１２、室外表示部１３、スタートボタン１４、及び室外ファン（図示せず）等が配置されている。一方、室内機８Ａには、室内熱交換器６Ａ、室内熱交換器サーミスター７Ａ、室温サーミスター９Ａ、室内制御部１０Ａ、室内表示部１５Ａ及び室内ファン（図示せず）が配置され、室内機８Ｂには、室内熱交換器６Ｂ、室内熱交換器サーミスター７Ｂ、室温サーミスター９Ｂ、室内制御部１０Ｂ、室内表示部１５Ｂ及び室内ファン（図示せず）が配置され、室内機８Ｃには、室内熱交換器６Ｃ、室内熱交換器サーミスター７Ｃ、室温サーミスター９Ｃ、室内制御部１０Ｃ、室内表示部１５Ｃ及び室内ファン（図示せず）が配置されている。なお、図１では、室内機８Ａ〜８Ｃに室内熱交換器６Ａ〜６Ｃのみを配置するように模式的に表示してある。そして、室外機と室内機８Ａ〜８Ｃとの間は、冷媒配管及び接続ケーブルで接続されている。
【００１２】
また、室外制御部１１は、室内制御部１０Ａ〜１０Ｃ、スタートボタン１４、及び外気温サーミスター１２等から入力信号を受けて、圧縮機１、切換弁２、室外ファン、開閉弁４Ａ〜４Ｃ、絞り機構５Ａ〜５Ｃ及び室外表示部１３等を制御すると共に、室内制御部１０Ａ〜１０Ｃに制御信号を出力する。
【００１３】
そして、室内制御部１０Ａ〜１０Ｃは、室内熱交換器サーミスター７Ａ〜７Ｃ、室温サーミスター９Ａ〜９Ｃ、及び室外制御部１１等から入力信号を受けて、室内送風機、及び室内表示部１５Ａ〜１５Ｃ等を制御すると共に、室外制御部１１に制御信号を出力する。
【００１４】
また、室外表示部１３は、室内機８Ａ〜８Ｃに対応する複数のＬＥＤ表示部を有しており、従来より用いている故障表示のためのＬＥＤ表示部を本発明における誤接続表示に兼ねるようにしたものである。これにより、安価な構成で、接続状態の判定をすることができる。
【００１５】
次に、本実施例の多室形の空気調和機における冷媒配管あるいは接続ケーブルの接続状態を判定する誤接続判定運転の動作を図２及び図３を用いて説明する。図２は図１の多室形の空気調和機の誤接続判定運転における動作フロー図、図３は同誤接続判定運転の基準を示す図である。
【００１６】
室外制御部１１及び室内制御部１０Ａ〜１０Ｃは、室外機に配置されたスタートボタン１４を押下することにより、誤接続判定運転の制御を開始させる（ステップ２１）。スタートボタン１４が押下されると、室温サーミスタ９Ａ〜９Ｃで室内温度が検出されて室内制御部１０Ａ〜１０Ｃに取り込まれると共に、外気温サーミスター１２で室外温度が検出されて室外制御部１１に取り込まれる（ステップ２２）。そして、検出された室内温度は室内制御部１０Ａ〜１０Ｃから室外制御部１１に送られる。
【００１７】
検出された室内温度及び室外温度に基づいて、室外制御部１１で判定運転モードが判定される（ステップ２３）。この判定で、室内温度及び室外温度が低い場合には暖房判定運転モードが選択され、室内温度及び室外温度が高い場合には冷房判定運転モードが選択される。この判定運転モードの判定は、検出される室内温度のみに基づいても可能であるが、室外温度と室内温度の両方に基づいて行なう方が室外負荷も考慮でき、より適切な判定が行なわれる。この判定基準は、本実施例では図３に示すように、室内温度と室外温度との相関関係でそれぞれのモードの領域を区分しているので、さらに適切な判定を行なうことができる。
【００１８】
ステップ２３で暖房判定運転モードが選択されると、室外制御部１１により、切換弁２が暖房側に切換えられる（ステップ３１）。そして、開閉弁４Ａ〜４Ｃの中から一台目の室内機８Ａに対応する開閉弁４Ａのみが開いてその他が閉じた状態にされ（ステップ３２）、絞り機構５Ａ〜５Ｃをある所定開度の中から開閉弁４Ａに対応する絞り機構５Ａのみが開いてその他を閉じた状態にされ（ステップ３３）、圧縮機１が運転される（ステップ３４）。所定時間後に、熱交換器サーミスタ７Ａ〜７Ｃにより室内熱交換器６Ａ〜６Ｃの温度が検出され（ステップ３５）、室内制御部１０Ａに取り込まれる。この室内熱交換器６Ａ〜６Ｃの温度は室内制御部１０Ａ〜１０Ｃから室外制御部１１に送られる。
【００１９】
そして、冷媒配管及び接続ケーブルの接続が正常かを室外制御部１１により判定される（ステップ３６）。この判定は、検出された室内熱交換器６Ａ〜６Ｃの温度とあらかじめ設定された温度とを比較することにより行われる。すなわち、室内機８Ａの接続が正常であれば上述した暖房判定運転により室内熱交換器６Ａの温度が上昇することを利用して、検出された室内熱交換器６Ａの温度が設定温度を上回っていれば正常接続と判定されてステップ４１に進む。なお、室内温度によって負荷が変わり室内熱交換器の上昇温度も変化するため、比較する設定温度は室温サーミスタ７Ａ〜７Ｃにより検出した室内温度により補正することにより、より正確に判定することができる。
【００２０】
ステップ３６の判定において、室内熱交換器６Ａの温度上昇が設定値まで達しない時には誤接続と判断され、室内熱交換器６Ｂ、６Ｃの温度上昇が設定値まで達しているか判断され、この設定値まで達している方の室内熱交換器、例えば室内熱交換器６Ｂが誤接続である場合には室内機８Ａと室内機８Ｂが入れ替わって誤接続されているものと判断され、室外表示部１３に室内機８Ａ、８Ｂに対応する例えばランプが点灯される等のエラー表示が行なわれ（ステップ３７）、さらには室内表示部１５Ａ、１５Ｂにエラー表示が行われる（ステップ３８）、なお、室内熱交換器６Ａの温度と室内温度との温度差が設定値以上であるかで判定するようにしてもよい。そして、室内機８Ａと室内機８Ｂとの接続回路を入れ替えて自動的に誤接続を修復する（ステップ３９）。これにより、誤接続の修復は極めて簡単に行なうことができる。なお、この自動切換えは、室外機にリレー回路を備えることにより、容易に実現できる。
【００２１】
そして、ステップ４１において、室内機８Ｂの誤接続判定が行なわれる。このステップ４１は、上述したステップ３２からステップ３８における室内機８Ａの誤接続判定と同様の動作が行われ、開閉弁４Ａ、絞り機構５Ａ、室内熱交換器６Ａ及び室内表示部１５Ａを開閉弁４Ｂ、絞り機構５Ｂ、室内熱交換器６Ｂ及び室内表示部１５Ｂに代えればよいので、詳細説明を省略する。
【００２２】
そして、ステップ４２において、室内機８Ｃの誤接続判定が行なわれる。このステップ４２は、上述したステップ３２からステップ３８における室内機８Ａの誤接続判定と同様の動作が行われ、開閉弁４Ａ、絞り機構５Ａ、室内熱交換器６Ａ及び室内表示部１５Ａを開閉弁４Ｃ、絞り機構５Ｃ、室内熱交換器６Ｃ及び室内表示部１５Ｃに代えればよいので、詳細説明を省略する。
【００２３】
また、上述したステップ２３で冷房判定運転モードが選択されると、室外制御部１１により、切換弁２が冷房側に切換えられる（ステップ５１）。そして、室内機８Ａの誤接続判定が行なわれる（ステップ５２）。このステップ５２は、上述した暖房判定運転モードが選択された際のステップ３２からステップ３８における室内機８Ａの誤接続判定と同様の動作が行われるので、詳細説明を省略する。なお、このステップ５２の誤接続判定は、冷房運転によるものであるので、暖房運転による場合とは異なり、室内熱交換器６Ａ〜６Ｃの温度が低下することを利用する点で判定基準が相違する。
【００２４】
そして、ステップ５３において、室内機８Ｂの誤接続判定が行なわれる。このステップ５３は、上述したステップ５２における室内機８Ａの誤接続判定と同様の動作が行われるので、詳細説明を省略する。また、ステップ５４において、室内機８Ｃの誤接続判定が行なわれる。このステップ５４は、上述したステップ５２における室内機８Ａの誤接続判定と同様の動作が行われるので、詳細説明を省略する。
【００２５】
次に、本発明の第２実施例の多室形の空気調和機の全体構成を図４を参照しながら説明する。図４は本発明の第２実施例の多室形の空気調和機の構成図である。図４において、図１と同一物または相当物は同一符号を付す。
【００２６】
本実施例では、暖房時の冷媒循環における室内熱交換器６Ａ〜６Ｃの上流側に開閉弁を有しておらず、他の室内機が暖房中に停止している室内機にも冷媒が循環される多室形の空気調和機である。原価抑制のために近年ではこのような形態のものも多くなっている。そして、室内ファン１６Ａ〜１６Ｃは、風量を変化できるようになっている。また、配管サーミスター１７Ａ〜１７Ｃは、暖房時の室内熱交換器６Ａ〜６Ｃを通過した後の冷媒温度を検出するものであり、室外機に配置されている。これらの点以外では、基本的には図１の構成と同じである。
【００２７】
次に、本実施例の多室形の空気調和機における冷媒配管あるいは接続ケーブルの接続状態を判定する誤接続判定運転の動作を図５を用いて説明する。図５は図４の多室形の空気調和機の誤接続判定運転における動作フロー図である。
【００２８】
室外制御部１１及び室内制御部１０Ａ〜１０Ｃは、室外機に配置されたスタートボタン１４を押下することにより、誤接続判定運転の制御を開始させる（ステップ５５）。スタートボタン１４が押下されると、室温サーミスタ９Ａ〜９Ｃで室内温度が検出されて室内制御部１０Ａ〜１０Ｃに取り込まれると共に、外気温サーミスター１２で室外温度が検出されて室外制御部１１に取り込まれる（ステップ５６）。そして、検出された室内温度は室内制御部１０Ａ〜１０Ｃから室外制御部１１に送られる。
【００２９】
検出された室内温度及び室外温度に基づいて、室外制御部１１で判定運転モードが判定される（ステップ５７）。この判定で、室内温度及び室外温度が低い場合には暖房判定運転モードが選択され、室内温度及び室外温度が高い場合には冷房判定運転モードが選択される。この判定は、第１実施例で用いた図３のモードの領域で区分している。
【００３０】
ステップ５７で暖房判定運転モードが選択されると、室外制御部１１により、切換弁２が暖房側に切換えられる（ステップ６１）。そして、室内ファン１６Ａ〜１６Ｃが低速またはごく弱い風量にて運転され（ステップ６２）。絞り機構５Ａ〜５Ｃをある所定開度た状態にされ（ステップ６３）、圧縮機１が運転される（ステップ６４）。所定時間の後、配管サーミスター１７Ａ〜１７Ｃにて室内熱交換器６Ａ〜６Ｃ通過後の冷媒温度が検出された後（ステップ６５）、室内ファン１６Ａのみ風量を増やす（ステップ６６）。室外制御部１１に取り込まれる。それから所定時間後に再度、配管サーミスター１７Ａ〜１７Ｃにて室内熱交換器６Ａ〜６Ｃ通過後の冷媒温度が検出される（ステップ６７）。
【００３１】
そして、冷媒配管及び接続ケーブルの接続が正常かを室外制御部１１により判定される（ステップ６８）。この判定は、配管サーミスタ１７Ａ〜１７Ｃにより検出された風量を増やす前の温度と風量を増やして所定時間後に検出された温度とを比較することにより行われる。すなわち、配管サーミスタ１７Ａにて検出した風量を増やす前の温度と増やした後の温度との差があらかじめ設定された温度以上になっていれば正常接続と判定され、ステップ７２に進む。なお、室内ファン１６Ａの風量を増した影響で室内熱交換器６Ｂ、６Ｃを通過した後の冷媒温度まで低下するのを防ぐため、ごく弱い風量にて回していた室内ファン１６Ｂ、１６Ｃを更に風量を減らすか、もしくは停止させることにより、より確実な判定が可能となる。また、室内温度によって負荷が変わり室内熱交換器６Ａを通過後の冷媒を増やす前と増やした後の温度差も変化するため、比較する設定温度は室温サーミスタ７Ａにより検出した室内温度により補正することにより、より正確に判定することができる。
【００３２】
ステップ６９の判定において、配管サーミスタ１７Ａにて検出した風量を増やす前の温度と増やした後の温度との差があらかじめ設定された温度に達していない場合には、誤接続と判定される。この場合、配管サーミスタ１７Ｂ、１７Ｃにより検出された風量を増やす前の温度と風量を増やして所定時間後に検出された温度との差が設定された温度以上か比較され、設定温度以上に達している方の配管サーミスタ、例えば配管サーミスター１７Ｂが誤接続と判定された場合には室内機８Ａと室内機８Ｂが入れ替わって誤接続されているものと判断される。これにより、室外表示部１３に室内機８Ａ、８Ｂに対応する例えばランプが点灯される等のエラー表示が行なわれ（ステップ６９）、さらには室内表示部１５Ａ、１５Ｂにエラー表示が行われる（ステップ７０）。そして、室内機８Ａと室内機８Ｂとの接続回路を入れ替えて自動的に誤接続を修復する（ステップ７１）。これにより、誤接続の修復は極めて簡単に行なうことができる。なお、この自動切換えは、リレー回路を備えることにより、容易に実現できる。
【００３３】
そして、ステップ７２において、室内機８Ｂの誤接続判定が行なわれる。このステップ２は、上述したステップ６２からステップ７１における室内機８Ａの誤接続判定と同様の動作が行われるので、詳細説明を省略する。また、ステップ７３において、室内機８Ｃの誤接続判定が行なわれる。このステップ７３は、上述したステップ６２からステップ７１における室内機８Ａの誤接続判定と同様の動作が行われるので、詳細説明を省略する。
【００３４】
また、上述したステップ６３で冷房判定運転モードが選択されると、室外制御部１１により、切換弁２が冷房側に切換えられる（ステップ８１）。そして、室内機８Ａの誤接続判定が行なわれる（ステップ８２）。このステップ８２は、上述した第１実施例のステップ５２における室内機８Ａの誤接続判定と同様の動作が行われるので、詳細説明を省略する。以下、ステップ８３で室内機８Ｂの誤接続判定が行なわれと共に、ステップ８４で室内機８Ｃの誤接続判定が行なわれるが、ステップ８２と同様であるので、詳細説明を省略する。
【００３５】
以上説明した実施例においては、室温サーミスター９Ａ〜９Ｃで検出した室内温度に基づいて暖房判定運転と冷房判定運転とに切換え、この暖房判定運転または冷房判定運転を各室内機８Ａ〜８Ｃ毎に行なって、室内熱交換器６Ａ〜６Ｃを含む並列の冷媒回路の温度を検出するサーミスター７Ａ〜７Ｃ、１７Ａ〜１７Ｃで検出した温度に基づいて冷媒配管または接続ケーブルの誤接続判定を行なうようにしているので、例えば空気調和機の据付作業が冬季に行なわれる場合のような室内温度が特に低い時には、暖房判定運転が行われて誤接続判定が行なわれる。これにより、冷房運転の保護回路が働いて誤接続判定が不可能になることもなく、しかも暖房判定運転時の判定基準となる検出温度の変化を確実に検出して信頼性の高い判定を行なうことができると共に、冷媒が室内熱交換器６Ａ〜６Ｃで蒸発できずに圧縮機１に液体で戻って液圧縮による負荷増大を招くということを防止できる。
【００３６】
【発明の効果】
本発明によれば、冬季のような室内温度が特に低い時に誤接続判定運転が行なわれても、保護回路が働いて誤接続判定が不可能になることもなく、しかも信頼性の高い判定ができると共に、液圧縮による負荷増大を防止できる空気調和機が得られる。
【図面の簡単な説明】
【図１】本発明の第１実施例の多室形の空気調和機の構成図である。
【図２】図１の多室形の空気調和機の誤接続判定運転における動作フロー図である。
【図３】同誤接続判定運転の基準を示す図である。
【図４】本発明の第２実施例の多室形の空気調和機の構成図である。
【図５】図４の多室形の空気調和機の誤接続判定運転における動作フロー図である。
【符号の説明】
１…圧縮機、２…切換弁、３…室外熱交換器、４Ａ〜４Ｃ…開閉弁、５Ａ〜５Ｃ…絞り機構、６Ａ〜６Ｃ…室内熱交換器、７Ａ〜７Ｃ…室内熱交換器サーミスター、８Ａ〜８Ｃ…室内機、９Ａ〜９Ｃ…室温サーミスター、１０Ａ〜１０Ｃ…室内制御部、１１…室外制御部、１２…外気温サーミスター、１３…室外表示部、１４…スタートボタン、１５…室内表示部、１６Ａ〜１６Ｃ…室内ファン、１７Ａ〜１７Ｃ…配管サーミスター。
【図１】
0003833497.tif 000002
【図２】
0003833497.tif 000003
【図３】
0003833497.tif 000004
【図４】
0003833497.tif 000005
【図５】
0003833497.tif 000006